(57)【要約】【課題】通信不良により一部のストロボが本発光時に発光不良となった場合でも、撮影者の意図する露出に近い画像を取得することができるようにする。【解決手段】カメラ本体１０１からストロボ３０１に送信された本発光命令に対して、制御回路２０２は、ストロボ３０１からカメラ本体１０１に受信完了信号が返信されたかを判定し、受信完了信号が返信されなかった場合は、受信完了信号が返信されなかったストロボ３０１の本発光量に応じてストロボ撮影時の撮影感度を変更する。【選択図】図６
2011048160.tif 000002
【特許請求の範囲】
【請求項１】
撮像装置と、複数の閃光装置とを含む多灯ストロボ撮影システムであって、
前記閃光装置に本発光命令を送信する送信手段と、
前記送信手段により送信された本発光命令を前記閃光装置が受信したか否かを判定する判定手段と、
前記判定手段により、複数の前記閃光装置のうち少なくとも１つの閃光装置が前記本発光命令を受信していないと判定された場合には、前記本発光命令を受信していないと判定された閃光装置の本発光量に応じて、前記撮像装置のストロボ撮影時の撮影感度を変更する変更手段と、
を備えることを特徴とする多灯ストロボ撮影システム。
【請求項２】
電波による双方向通信が可能な複数の閃光装置を用いたストロボ撮影が可能な撮像装置であって、
前記閃光装置に本発光命令を送信する送信手段と、
前記送信手段により送信された本発光命令を受信した前記閃光装置からの受信完了信号を受信する受信手段と、
前記受信手段により受信された受信完了信号に基づいて前記閃光装置が前記本発光命令を受信したか否かを判定する判定手段と、
前記判定手段により、複数の前記閃光装置のうち少なくとも１つの閃光装置が前記本発光命令を受信していないと判定された場合には、前記本発光命令を受信していないと判定された閃光装置の本発光量に応じて、ストロボ撮影時の撮影感度を変更する変更手段と、
を備えることを特徴とする撮像装置。
【請求項３】
撮像装置と、複数の閃光装置とを含む多灯ストロボ撮影システムの制御方法であって、
前記閃光装置に本発光命令を送信する送信ステップと、
前記送信ステップにより送信された本発光命令を前記閃光装置が受信したか否かを判定する判定ステップと、
前記判定ステップにより、複数の前記閃光装置のうち少なくとも１つの閃光装置が前記本発光命令を受信していないと判定された場合には、前記本発光命令を受信していないと判定された閃光装置の本発光量に応じて、前記撮像装置のストロボ撮影時の撮影感度を変更する変更ステップと、
を備えることを特徴とする多灯ストロボ撮影システムの制御方法。
【請求項４】
電波による双方向通信が可能な複数の閃光装置を用いたストロボ撮影が可能な撮像装置の制御方法であって、
前記閃光装置に本発光命令を送信する送信ステップと、
前記送信ステップにより送信された本発光命令を受信した前記閃光装置からの受信完了信号を受信する受信ステップと、
前記受信ステップにより受信された受信完了信号に基づいて前記閃光装置が前記本発光命令を受信したか否かを判定する判定ステップと、
前記判定ステップにより、複数の前記閃光装置のうち少なくとも１つの閃光装置が前記本発光命令を受信していないと判定された場合には、前記本発光命令を受信していないと判定された閃光装置の本発光量に応じて、ストロボ撮影時の撮影感度を変更する変更ステップと、
を備えることを特徴とする撮像装置の制御方法。
【発明の詳細な説明】
【技術分野】
【０００１】
本発明は、カメラ（撮像装置）−ストロボ（閃光装置）間で電波による双方向通信が可能である多灯ストロボ撮影システム、撮像装置、及びその制御方法に関する。
【背景技術】
【０００２】
ワイヤレス通信による多灯ストロボ撮影システムにおいては、通信不良等によって一部のストロボが発光不良となってしまった場合に、露光量が少なくなってしまい、取得した画像の露出が不適正になってしまうという問題がある。
【０００３】
この問題への対策の１つとして、例えば、特許文献１に記載のストロボ発光システムがある。上記特許文献１には、多灯ストロボシステムにおいて、プリ発光の測光結果からスレーブストロボが動作しているかを判定し、動作不良であると判定したときは、本発光を禁止するという制御技術が提案されている。
【先行技術文献】
【特許文献】
【０００４】
【特許文献１】特開２０００−０８９３０７号公報
【発明の概要】
【発明が解決しようとする課題】
【０００５】
上記特許文献１の制御技術は、プリ発光命令送信時に発生した通信不良に関しては対処できる。しかしながら、本発光命令送信時に発生した通信不良に関しては、シャッタの先幕が走行を開始してしまっているために、失敗画像を回避することができないという問題があった。
【０００６】
本発明の目的は、通信不良により一部のストロボが本発光時に発光不良となった場合でも、撮影者の意図した露出に近い画像を取得することができるようにすることにある。
【課題を解決するための手段】
【０００７】
上記目的を達成するために、本発明にかかる多灯ストロボ撮影システムは、撮像装置と、複数の閃光装置とを含む多灯ストロボ撮影システムであって、前記閃光装置に本発光命令を送信する送信手段と、前記送信手段により送信された本発光命令を前記閃光装置が受信したか否かを判定する判定手段と、前記判定手段により、複数の前記閃光装置のうち少なくとも１つの閃光装置が前記本発光命令を受信していないと判定された場合には、前記本発光命令を受信していないと判定された閃光装置の本発光量に応じて、前記撮像装置のストロボ撮影時の撮影感度を変更する変更手段と、を備えることを特徴とする。
【０００８】
また、上記目的を達成するために、本発明にかかる撮像装置は、電波による双方向通信が可能な複数の閃光装置を用いたストロボ撮影が可能な撮像装置であって、前記閃光装置に本発光命令を送信する送信手段と、前記送信手段により送信された本発光命令を受信した前記閃光装置からの受信完了信号を受信する受信手段と、前記受信手段により受信された受信完了信号に基づいて前記閃光装置が前記本発光命令を受信したか否かを判定する判定手段と、前記判定手段により、複数の前記閃光装置のうち少なくとも１つの閃光装置が前記本発光命令を受信していないと判定された場合には、前記本発光命令を受信していないと判定された閃光装置の本発光量に応じて、ストロボ撮影時の撮影感度を変更する変更手段と、を備えることを特徴とする。
【発明の効果】
【０００９】
本発明によれば、通信不良等のために一部のストロボが本発光不良となった場合にも、撮影者の意図した露出に近い画像を取得することができる。
【図面の簡単な説明】
【００１０】
【図１】本発明の実施の形態に係る多灯ストロボ撮影システムを構成する撮像装置としてのカメラの構成図である。
【図２】図１のカメラ本体１０１の回路ブロック図である。
【図３】本発明の実施の形態に係る多灯ストロボ撮影システムを構成する閃光装置の構成図である。
【図４】図３のストロボ３０１の回路ブロック図である。
【図５】図１、図２に示したカメラ本体１０１と、図３、図４に示したストロボ３０１によって構成される多灯ストロボ撮影システムにおけるワイヤレス撮影例の模式図である。
【図６】図５に示した多灯ストロボ撮影システムによって実行される本実施の形態における撮影シーケンスのフローチャートである。
【発明を実施するための形態】
【００１１】
以下、本発明を図面を参照しながら詳細に説明する。  図１は、本発明の実施の形態に係る多灯ストロボ撮影システムに含まれる撮像装置としてのカメラの構成図である。
【００１２】
図１に示すように、カメラ本体（カメラ）１０１は、以下の構成要素を備える。
【００１３】
不図示の撮影レンズ（内部に絞りと結像光学系を有して取り外し可能）は、マウント機構１０２を介してカメラ本体１０１に電気的及び機械的に接続される。
【００１４】
固体撮像素子１３１は、パッケージ１３２に収納されており、このパッケージ１３２はカバーガラス１３４にて固体撮像素子１３１を密閉状態で保持している。そして、不図示の撮影レンズ内の結像光学系から固体撮像素子１３１に至る光路Ｌ１中には、固体撮像素子１３１上において、結像光学系のカットオフ周波数を制限する光学ローパスフィルタ（以下、ＬＰＦ）１３５が設けられている。
【００１５】
これにより、物体像の必要以上に高い空間周波数成分は固体撮像素子１３１に伝達されない。また、この結像光学系には赤外線カットフィルタも形成されている。更に、カバーガラス１３４とＬＰＦ１３５との間は、両面テープ等の密封部材１３３にて密封構造となっている。
【００１６】
これにより、カメラ本体１０１の外部あるいはカメラ本体１０１内部で発生した塵埃が、これらＬＰＦ１３５とカバーガラス１３４との間に入り込まないようになっている。
【００１７】
固体撮像素子１３１で捉えられた物体像は、プリント基板１４１に実装される演算処理回路２０３（後述する図２参照）によって画像データに変換され、表示部１４２に表示される。
【００１８】
表示部１４２は、カメラ本体１０１の背面に取り付けられており、撮影時等において、撮影者は、その撮影対象の画像を表示部１４２により直接観察できる。また固体撮像素子１３１と後述する演算処理回路２０３により、表示部１４２の表示用に画素を間引いた読み出しを行うことができ、高い表示レートでリアルタイムに画像を表示部１４２に表示することができる。
【００１９】
ハーフミラー１２１は、結像光学系からの光路Ｌ１を分割して光学ファインダに供給するための可動型のミラーである。フォーカシングスクリーン１１１は、物体像の予定結像面に配置されている。
【００２０】
レンズ１１３は、撮影時、使用者が光学ファインダ像を観察するためのレンズであり、実際には複数のレンズで構成されている。フォーカシングスクリーン１１１、ペンタプリズム１１２、レンズ１１３、ファインダ１１４は、ファインダ光学系を構成している。
【００２１】
ハーフミラー１２１の背後には可動型のサブミラー１２２が設けられており、ハーフミラー１２１を透過した光束の内、光路Ｌ１の光軸に近い光束を焦点検出部１２３に偏向している。
【００２２】
サブミラー１２２は、ハーフミラー１２１の保持部材（不図示）に設けられた回転軸を中心に回転し、ハーフミラー１２１の動きに連動して移動する。尚、この焦点検出部１２３は、位相差検出方式により焦点検出を行う。
【００２３】
ハーフミラー１２１とサブミラー１２２からなる光路分割系は以下の２つの状態を持つ。１つは、上述のファインダ光学系に光を導くための第１の光路分割状態である。もう１つは、不図示の結像レンズからの光束をダイレクトに固体撮像素子１３１に導くために、撮影光路Ｌ１から退避した第２の光路分割状態（図１の破線で示した位置１２１ａ及び１２２ａ）である。
【００２４】
シャッタ（フォーカルプレーンシャッタ）１２４は、先幕１２４ａと後幕１２４ｂによって構成される。先幕１２４ａと後幕１２４ｂは、それぞれ複数枚の薄膜遮光素材によって構成され、これらを開閉動作させることにより固体撮像素子１３１への露光量を制御する。
【００２５】
先幕走行検出回路１２５ａ及び後幕走行検出回路１２５ｂは、それぞれ、撮影動作時の先幕１２４ａと後幕１２４ｂの動作を検出するための回路で、先幕１２４ａまたは後幕１２４ｂの動作検出信号に同期させてストロボ（閃光装置）の発光を制御することができる。
【００２６】
測光部１２６は、光電変換素子によって構成される。マウント側からの入射光の一部がハーフミラー１２１によって分離されて測光部１２６に入射しており、測光部１２６の出力から固体撮像素子１３１表面の輝度を間接的に知覚することができる。
【００２７】
レリーズボタン１５１は、ボタンの押下げ位置により、撮影準備状態（ＳＷ１）と撮影開始（ＳＷ２）の２つの状態を持つ。
【００２８】
ワイヤレス通信ユニット１６１は、ストロボ等のアクセサリや外部の通信端末と、電波を媒体として双方向通信（送信及び受信）を行う。接続部１７１は、ストロボ等のアクセサリを接続するための機構である。通信端子が配されており、カメラ本体１０１−アクセサリ間の有線通信が可能である。
【００２９】
図２は、図１のカメラ本体１０１の回路ブロック図である。
【００３０】
図２において、プリント基板２０１には、カメラ本体１０１の動作を主として制御する制御回路２０２が搭載されている。また、プリント基板２０１には、固体撮像素子１３１に蓄積された電気信号から画像データを生成し、撮影した画像を表示部１４２に表示するための信号処理を行う演算処理回路２０３、生成された画像データを一時的に保存する記憶回路２０４が搭載されている。
【００３１】
シャッタ・ミラー駆動回路２１１は、固体撮像素子１３１を適正に露光させるために、シャッタ１２４の開閉制御や、ハーフミラー１２１及びサブミラー１２２のアップ／ダウンの制御を行う。
【００３２】
スイッチ回路２１２には、カメラ本体１０１を撮影準備状態とするスイッチ、撮影動作を開始するスイッチ、撮影条件を選択するためのスイッチ等がある。操作検出回路２１３は、カメラ本体１０１内に設けられたダイアルを含む多数のスイッチ類の信号を制御回路２０２に伝達する。
【００３３】
電源回路２２１は、電池２２２の電圧を、カメラ本体１００を構成する各回路ユニットが必要とする電圧に変換して供給する。
【００３４】
図３は、本発明の実施の形態に係る多灯ストロボ撮影システムに含まれる閃光装置の構成図である。
【００３５】
閃光装置（以下、ストロボ）３０１は、カメラ本体１０１からの信号に従って発光制御を行うものである。カメラ本体１００−ストロボ３０１間の通信は、カメラ本体１０１に取り付けられている状態では、接続部３０５を介して、カメラ本体１００と非接続の状態ではワイヤレス通信ユニット３０６を介して成立させる。発光管（Ｘｅ管）３０２は、電気エネルギを発光エネルギに変換する。
【００３６】
反射板３０３、フレネルレンズ３０４は、それぞれ発光エネルギを効率良く被写体に向けて集光する役目を有する。接続部３０５は、カメラ本体１０１とストロボ３０１とのインターフェースとなる接続機構及び通信端子群である。
【００３７】
ワイヤレス通信ユニット３０６はストロボ３０１に内蔵される。プリント基板３０７には、ストロボ３０１の発光を制御する制御回路が実装される。表示部３０８は、ストロボ３０１の発光動作設定等の内容を表示する。
【００３８】
ボタン・スイッチ群３０９は、ストロボ３０１の動作状態を設定するものであり、ストロボ３０１の電源オン、オフを制御する電源スイッチ、ストロボ３０１の発光モードを選択するためのモードスイッチ等によって構成される。
【００３９】
図４は、図３のストロボ３０１の回路ブロック図である。
【００４０】
図４において、プリント基板３０７は、発光制御回路４０４、ストロボ３０１の全体の動作を制御する制御回路４０５、トリガ回路４０６を搭載している。
【００４１】
電源回路４０２は、電池４０１の電圧を各回路ユニットが必要とする電圧に変換して供給するものであり、制御回路系への数Ｖと、蓄積回路４０３への数１００Ｖとを出力する。
【００４２】
蓄積回路４０３は電気エネルギを蓄積する。蓄積回路４０３は、大容量のアルミ電解コンデンサ等で構成される。発光制御回路４０４は、発光電流を制限するためのコイル、発光停止時に発生する逆起電圧を吸収するためのダイオード、発光電流を制御するためのＩＧＢＴ等によって構成される。
【００４３】
図５は、図１、図２に示したカメラ本体１０１と、図３、図４に示したストロボ３０１が含まれる多灯ストロボ撮影システムにおけるワイヤレス撮影例の模式図である。
【００４４】
ここでは、１台のカメラ本体１０１及び２台のストロボ３０１−１、３０１−２を用いて被写体５０１を撮影するワイヤレス撮影例を示している。尚、ストロボの台数は２台に限定されるものではなく、少なくとも２台以上の複数のストロボであればよい。
【００４５】
本実施の形態では、ストロボ３０１−１、３０１−２それぞれが独立してカメラ本体１０１との通信を成立させるため、発光タイミングや、発光量等のストロボ側の制御は個別に設定される。
【００４６】
図６は、図５に示した多灯ストロボ撮影システムによって実行される本実施の形態における撮影シーケンスのフローチャートである。
【００４７】
尚、以下の処理は、カメラ本体１０１の制御回路２０２及びストロボ３０１の制御回路４０５の制御の下に実施される。各処理ステップには符号Ｓを付す。
【００４８】
Ｓ６０１において、レリーズボタン１５１が押下げられ、ＳＷ２がＯＮ状態になると、カメラ本体１０１は、撮影シーケンスを開始する。
【００４９】
カメラ本体１０１は、ストロボ３０１−１、３０１−２それぞれに対してプリ発光命令（Ｓ６０２、Ｓ６０３）を送信した後、ストロボからの通信への待機状態に移行する（Ｓ６０４）。プリ発光命令には、発光タイミング、発光量の設定などが含まれている。
【００５０】
ストロボ３０１−１、３０１−２は、プリ発光命令を受信完了した場合には、カメラ本体１０１に対して受信完了信号を送信する（Ｓ６０５、Ｓ６０６）。
【００５１】
カメラ本体１０１は、プリ発光命令を送信したすべてのストロボから受信完了信号が返されたかを判定する（Ｓ６０７）。ここで、受信完了信号が返ってこないストロボが１台でもあった場合は、予備発光命令通信不成立時の処理シーケンス（Ｓ６０８）に移行する。
【００５２】
予備発光命令通信不成立時の処理シーケンスでは、通信不成立であることを表示部１４２に警告表示する等の制御をする。Ｓ６０７において、すべてのストロボから受信完了信号が返ってきていることが確認された場合は、撮影シーケンスは継続される。
【００５３】
ストロボ３０１−１、３０１−２は、それぞれが受信したプリ発光命令内で指示されたタイミングにおいて独立してプリ発光（Ｓ６１１、Ｓ６１２）を実施する。
【００５４】
カメラ本体１０１は、各ストロボのプリ発光に同期して測光（Ｓ６０９、Ｓ６１０）を実施し、測光結果を基に、ストロボ撮影時の本発光における各ストロボの発光条件を演算により決定する（Ｓ６１３）。
【００５５】
次に、カメラ本体１０１は、先幕１２４ａを走行させてシャッタ１２４が開いた状態にした後（Ｓ６１４）、ストロボ３０１−１、３０１−２それぞれに対して本発光命令（Ｓ６１５、Ｓ６１６）を送信し、ストロボからの返信への待機状態に移行する（Ｓ６１７）。本発光命令には、Ｓ６１３において決定されたストロボの発光条件（発光タイミング、本発光量など）が含まれる。
【００５６】
ストロボ３０１−１、３０１−２は、本発光命令の受信を完了した場合には、カメラ本体１０１に対して受信完了信号（Ｓ６１８、Ｓ６１９）を送信する。
【００５７】
カメラ本体１０１は、受信完了信号を受信することで、本発光命令を送信したすべてのストロボから受信完了信号が返されたかを判定する（Ｓ６２０）。ここで、受信完了信号が返ってこないストロボが１台でもあった場合は、本発光命令通信不成立時の処理シーケンス（Ｓ６２１）に移行する。
【００５８】
Ｓ６２０においてすべてのストロボから受信完了信号が返ってきていることが確認された場合は、撮影シーケンスは継続され、Ｓ６２２のステップに移行する。
【００５９】
Ｓ６２１では、本発光命令通信が成立しているストロボのみしか発光しない場合でも撮影した画像が適切な露光量となるよう、カメラ本体１０１のストロボ撮影時のＩＳＯ感度を変更する。ＩＳＯ感度の変更については、Ｓ６１３において決定された各ストロボの発光量設定を基に算出する。
【００６０】
例えば、本発光におけるストロボ３０１−１、３０１−２の発光光量比が１：１であってストロボ３０１−２が本発光命令通信不成立であった場合は、カメラ本体１０１は、ＩＳＯ感度を撮影開始時の設定から１段上げる。
【００６１】
ＩＳＯ感度の変更には、例えば、固体撮像素子１３１内部回路のゲインや演算処理回路２０３のゲインを変更する。ＩＳＯ感度を変更した後は、撮影シーケンスは継続され、Ｓ６２２のステップに移行する。
【００６２】
ストロボ３０１−１、３０１−２は、それぞれが受信した本発光命令内で指示されたタイミングにおいて本発光（Ｓ６２３、Ｓ６２４）を実施する。
【００６３】
ストロボ３０１−１、３０１−２の本発光後、カメラ本体１０１は、後幕１２４ｂを走行させてシャッタを閉じる（Ｓ６２２）。その後、カメラ本体１０１は、固体撮像素子１３１に蓄積された電荷を読出し、演算処理回路２０３によって画像データを形成して、撮影シーケンスは終了する。
【００６４】
以上が、本実施の形態の撮影シーケンスである。
【００６５】
上記の制御方法を実施することで、一部のストロボが通信不良の場合には、撮影シーケンスを開始した後でも容易に変更可能な撮影感度を変更するため、ストロボ通信が正常か否かの判定を行う前に撮影シーケンスを開始することができる。そのため、一部のストロボが通信不良の場合でも通信不良のストロボがなかった場合と同じタイミングで撮影を行うことができ、撮影者の意図したタイミングで撮影を行うことができる。また、一部のストロボが通信不良であると判明した場合に撮影感度を変更して撮影を行うことで、撮影を禁止することなく撮影者の意図した露出に近い画像を取得することができる。
【００６６】
なお、本実施の形態では、撮像装置が閃光装置と双方向通信可能の通信部を備えた構成を説明したが、撮像装置が該通信部を備えておらず、撮像装置に着脱可能な通信装置を装着させて閃光装置と双方向通信を行う構成であっても本発明は適用できる。
【００６７】
また、本発明は、以下の処理を実行することによっても実現される。即ち、上述した実施の形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００６８】
１００  カメラ本体
１３１  固体撮像素子
１６１  ワイヤレス通信ユニット
２０２  制御回路
３０１  閃光装置
３０２  発光管
４０４  発光制御回路
【図１】
2011048160.tif 000003
【図２】
2011048160.tif 000004
【図３】
2011048160.tif 000005
【図４】
2011048160.tif 000006
【図５】
2011048160.tif 000007
【図６】
2011048160.tif 000008